(57)【要約】【課題】ラミネートプロファイルが迅速に得られる技術を提供する。【解決手段】ラミネート印刷物について分光データを含む登録ラミネート情報と、前記ラミネート印刷物の色再現特性を表すプロファイルであって前記登録ラミネート情報に紐付けられたプロファイルを示すプロファイル情報と、が蓄積されたデータベース部と、プロファイルを検索する対象である検索対象ラミネート印刷物について分光データを含む検索対象ラミネート情報の入力を受け付けるラミネート情報受付部と、前記データベース部に蓄積された登録ラミネート情報と、前記検索対象ラミネート情報と、の類似度を算出する類似度算出部と、前記類似度が基準を満たす場合に前記データベース部において前記類似度が前記基準を満たす登録ラミネート情報に紐付けられたプロファイル情報を含めた検索結果を表示部に表示させる検索結果表示制御部と、を含む、プロファイル検索装置。【選択図】図１
2020064475.tif 000002
【特許請求の範囲】
【請求項１】
印刷物にラミネートフィルムが被覆されたラミネート印刷物について分光データを含む登録ラミネート情報と、前記ラミネート印刷物の色再現特性を表すプロファイルであって前記登録ラミネート情報に紐付けられたプロファイルを示すプロファイル情報と、が蓄積されたデータベース部と、
プロファイルを検索する対象である検索対象ラミネート印刷物について分光データを含む検索対象ラミネート情報の入力を受け付けるラミネート情報受付部と、
前記データベース部に蓄積された登録ラミネート情報と、前記検索対象ラミネート情報と、の類似度を算出する類似度算出部と、
前記類似度が基準を満たす場合に前記データベース部において前記類似度が前記基準を満たす登録ラミネート情報に紐付けられたプロファイル情報を含めた検索結果を表示部に表示させる検索結果表示制御部と、を含む、プロファイル検索装置。
【請求項２】
前記データベース部に蓄積された登録ラミネート情報に含まれる分光データには、分光透過率を表すデータ、及び、分光反射率を表すデータが含まれ、
前記検索対象ラミネート情報に含まれる分光データは、分光透過率を表すデータと分光反射率を表すデータの少なくとも一方である、請求項１に記載のプロファイル検索装置。
【請求項３】
前記データベース部に蓄積された登録ラミネート情報、及び、前記検索対象ラミネート情報は、前記ラミネートフィルムの表面加工を表す情報、及び、ラミネートフィルムの素材を表す情報を含む、請求項１又は請求項２に記載のプロファイル検索装置。
【請求項４】
前記データベース部に蓄積されたプロファイル情報は、前記ラミネート印刷物に含まれる被印刷物の種類に紐付けられ、
前記プロファイル検索装置は、前記検索対象ラミネート印刷物に含まれる被印刷物の種類の選択を受け付ける被印刷物選択受付部をさらに含み、
前記類似度算出部は、前記データベース部に蓄積された登録ラミネート情報のうち前記被印刷物選択受付部において選択を受け付けた被印刷物の種類についての登録ラミネート情報と、前記検索対象ラミネート情報と、の前記類似度を算出する、請求項１〜請求項３のいずれか一項に記載のプロファイル検索装置。
【請求項５】
前記データベース部に蓄積されたプロファイル情報は、前記印刷物が形成されたプリンターの種類に紐付けられ、
前記プロファイル検索装置は、前記プリンターの種類の選択を受け付けるプリンター選択受付部をさらに含み、
前記類似度算出部は、前記データベース部に蓄積された登録ラミネート情報のうち前記プリンター選択受付部において選択を受け付けたプリンターの種類についての登録ラミネート情報と、前記検索対象ラミネート情報と、の前記類似度を算出する、請求項１〜請求項４のいずれか一項に記載のプロファイル検索装置。
【請求項６】
前記検索結果表示制御部は、前記類似度算出部において２以上算出された類似度に前記基準を満たす複数の類似度がある場合、該複数の類似度のそれぞれについて前記基準を満たす登録ラミネート情報に紐付けられたプロファイル情報を前記類似度の順に含めた前記検索結果を前記表示部に表示させる、請求項１〜請求項５のいずれか一項に記載のプロファイル検索装置。
【請求項７】
前記データベース部に蓄積されていない登録ラミネート情報を取得して前記データベース部に追加し、該追加された登録ラミネート情報に紐付けられたプロファイル情報を前記データベース部に追加する情報追加部をさらに含む、請求項１〜請求項６のいずれか一項に記載のプロファイル検索装置。
【請求項８】
前記情報追加部は、前記類似度算出部において算出された類似度に前記基準を満たす類似度が存在しなかった場合に前記検索対象ラミネート情報を登録ラミネート情報として前記データベース部に追加し、
前記プロファイル検索装置は、前記データベース部に追加された登録ラミネート情報に前記プロファイル情報を紐付けるプロファイルを作成するプロファイル作成部をさらに含み、
前記情報追加部は、前記プロファイル作成部において作成されたプロファイルを示すプロファイル情報であって前記データベース部に追加された登録ラミネート情報に紐付けられたプロファイル情報を前記データベース部に追加する、請求項７に記載のプロファイル検索装置。
【請求項９】
プロファイル検索方法であって、
印刷物にラミネートフィルムが被覆されたラミネート印刷物について分光データを含む登録ラミネート情報と、前記ラミネート印刷物の色再現特性を表すプロファイルであって前記登録ラミネート情報に紐付けられたプロファイルを示すプロファイル情報と、がデータベース部に蓄積されており、
プロファイルを検索する対象である検索対象ラミネート印刷物について分光データを含む検索対象ラミネート情報の入力を受け付けるラミネート情報受付工程と、
前記データベース部に蓄積された登録ラミネート情報と、前記検索対象ラミネート情報と、の類似度を算出する類似度算出工程と、
前記類似度が基準を満たす場合に前記データベース部において前記類似度が前記基準を満たす登録ラミネート情報に紐付けられたプロファイル情報を含めた検索結果を表示する検索結果表示工程と、を含む、プロファイル検索方法。
【請求項１０】
プロファイル検索プログラムであって、
印刷物にラミネートフィルムが被覆されたラミネート印刷物について分光データを含む登録ラミネート情報と、前記ラミネート印刷物の色再現特性を表すプロファイルであって前記登録ラミネート情報に紐付けられたプロファイルを示すプロファイル情報と、がデータベース部に蓄積されており、
プロファイルを検索する対象である検索対象ラミネート印刷物について分光データを含む検索対象ラミネート情報の入力を受け付けるラミネート情報受付機能と、
前記データベース部に蓄積された登録ラミネート情報と、前記検索対象ラミネート情報と、の類似度を算出する類似度算出機能と、
前記類似度が基準を満たす場合に前記データベース部において前記類似度が前記基準を満たす登録ラミネート情報に紐付けられたプロファイル情報を含めた検索結果を表示部に表示させる検索結果表示制御機能と、をコンピューターに実現させる、プロファイル検索プログラム。
【発明の詳細な説明】
【技術分野】
【０００１】
本発明は、ラミネートフィルムに被覆された印刷物の色再現特性を表すプロファイルを決定する技術に関する。
【背景技術】
【０００２】
印刷物にラミネートフィルムを被覆すると、ラミネートフィルムの種類に応じてラミネート印刷物の色再現特性が変わる。そこで、ラミネート印刷物の色再現特性を表すプロファイルであるラミネートプロファイルが作成されて色変換に使用されている。
【０００３】
特許文献１には、ラミネートプロファイルを生成する方法が示されている。この方法では、まず、ラミネートフィルムを被覆していない印刷物のカラーチャートの分光反射率を取得する処理、ラミネートフィルムの光学物性値を推定する処理、前記カラーチャートの分光反射率と前記ラミネートフィルムの光学物性値とを用いてラミネート印刷物のカラーチャートの分光反射率を予測する処理が行われる。さらに、カラーチャートの予測された分光反射率に基づいて色変換テーブルの各格子点に対応する分光反射率を決定する処理、及び、各格子点に対応する分光反射率に基づいてラミネートプロファイルを生成する処理が行われる。
【先行技術文献】
【特許文献】
【０００４】
【特許文献１】特開２０１１−７５３０４号公報
【発明の概要】
【発明が解決しようとする課題】
【０００５】
カラーチャートの分光反射率を予測しても、ラミネートプロファイルを作成するためには多くの作業工程が必要である。そこで、ラミネートプロファイルを迅速に取得可能な技術が望まれる。
【課題を解決するための手段】
【０００６】
本発明のプロファイル検索装置は、印刷物にラミネートフィルムが被覆されたラミネート印刷物について分光データを含む登録ラミネート情報と、前記ラミネート印刷物の色再現特性を表すプロファイルであって前記登録ラミネート情報に紐付けられたプロファイルを示すプロファイル情報と、が蓄積されたデータベース部と、
プロファイルを検索する対象である検索対象ラミネート印刷物について分光データを含む検索対象ラミネート情報の入力を受け付けるラミネート情報受付部と、
前記データベース部に蓄積された登録ラミネート情報と、前記検索対象ラミネート情報と、の類似度を算出する類似度算出部と、
前記類似度が基準を満たす場合に前記データベース部において前記類似度が前記基準を満たす登録ラミネート情報に紐付けられたプロファイル情報を含めた検索結果を表示部に表示させる検索結果表示制御部と、を含む、態様を有する。
【０００７】
また、本発明は、上述したプロファイル検索装置において処理を行う各部に対応する工程を含むプロファイル検索方法の態様を有する。
さらに、本発明は、上述したプロファイル検索装置において処理を行う各部に対応する機能をコンピューターに実現させるプロファイル検索プログラムの態様を有する。
【図面の簡単な説明】
【０００８】
【図１】具体例に係るプロファイル検索装置及びプロファイル検索方法の概略を模式的に示す図。
【図２】印刷システムの構成例を模式的に示すブロック図。
【図３】ラミネート処理装置の例を模式的に示す図。
【図４】図４Ａは透過測色装置によりパッチを測色する例を模式的に示す図、図４Ｂは反射測色装置によりパッチを測色する例を模式的に示す図。
【図５】プロファイル検索装置の構成例を模式的に示すブロック図。
【図６】プロファイルの色変換テーブルの構造例を模式的に示す図。
【図７】データベースの構造例を模式的に示す図。
【図８】ラミネート情報の類似度を算出する例を模式的に示す図。
【図９】類似度の計算値の例を模式的に示す図。
【図１０】データベース登録処理の例を示すフローチャート。
【図１１】ラミネートプロファイル検索処理の例を示すフローチャート。
【図１２】検索画面の例を模式的に示す図。
【図１３】警告画面の例を模式的に示す図。
【図１４】警告後の処理の例を示すフローチャート。
【発明を実施するための形態】
【０００９】
以下、本発明の実施形態を説明する。むろん、以下の実施形態は本発明を例示するものに過ぎず、実施形態に示す特徴の全てが発明の解決手段に必須になるとは限らない。
【００１０】
（１）本発明に含まれる技術の概要：
まず、図１〜１４に示される例を参照して本発明に含まれる技術の概要を説明する。尚、本願の図は模式的に例を示す図であり、これらの図に示される各方向の拡大率は異なることがあり、各図は整合していないことがある。むろん、本技術の各要素は、符号で示される具体例に限定されない。「本発明に含まれる技術の概要」において、括弧内は直前の語の補足説明を意味する。
また、本願において、数値範囲「Min〜Max」は、最小値Min以上、且つ、最大値Max以下を意味する。
【００１１】
［態様１］
図１，５等に例示するように、本技術の一態様に係るプロファイル検索装置（例えばホスト装置１００）は、データベース部Ａ０、ラミネート情報受付部Ｕ５、類似度算出部Ｕ６、及び、検索結果表示制御部Ｕ７を含む。前記データベース部Ａ０は、印刷物ＰＴ１にラミネートフィルムＦ１が被覆されたラミネート印刷物Ｌ１について分光データＤ０を含む登録ラミネート情報ＤＬ１と、前記ラミネート印刷物Ｌ１の色再現特性を表すプロファイル５００であって前記登録ラミネート情報ＤＬ１に紐付けられたプロファイル５００を示すプロファイル情報Ｄ３（例えばプロファイル名）と、が蓄積されている。前記ラミネート情報受付部Ｕ５は、プロファイル５００を検索する対象である検索対象ラミネート印刷物Ｌ２について分光データＤ０を含む検索対象ラミネート情報ＤＬ２の入力を受け付ける。前記類似度算出部Ｕ６は、前記データベース部Ａ０に蓄積された登録ラミネート情報ＤＬ１と、前記検索対象ラミネート情報ＤＬ２と、の類似度Ｓ（ｉ）を算出する。前記検索結果表示制御部Ｕ７は、前記類似度Ｓ（ｉ）が基準（例えば閾値ＴＨ以上）を満たす場合に前記データベース部Ａ０において前記類似度Ｓ（ｉ）が前記基準を満たす登録ラミネート情報ＤＬ１に紐付けられたプロファイル情報Ｄ３を含めた検索結果ＲＥを表示部（例えば表示装置１３０）に表示させる。
ここで、ラミネート印刷物の色再現特性を表すプロファイルをラミネートプロファイルと呼ぶことにする。
【００１２】
上記態様１では、データベース部Ａ０に蓄積された登録ラミネート情報ＤＬ１と、入力が受け付けられた検索対象ラミネート情報ＤＬ２と、の類似度Ｓ（ｉ）が算出される。この類似度Ｓ（ｉ）が基準を満たす場合にデータベース部Ａ０において類似度Ｓ（ｉ）が基準を満たす登録ラミネート情報ＤＬ１に紐付けられたプロファイル情報Ｄ３を含めた検索結果ＲＥが表示される。これにより、ユーザーは、ラミネート印刷物Ｌ１に適用する既存のラミネートプロファイル５００を容易に得ることができる。従って、本態様は、ラミネートプロファイルが迅速に得られるプロファイル検索装置を提供することができる。
【００１３】
ここで、分光データは、分光透過率を表すデータでもよいし、分光反射率を表すデータでもよい。
登録ラミネート情報と検索対象ラミネート情報を含むラミネート情報には、ラミネートフィルムの表面加工を表す情報、ラミネートフィルムの素材を表す情報、といった、分光データ以外の情報が含まれてもよい。
検索対象ラミネート情報の入力を受け付けることには、ユーザーから直接、検索対象ラミネート情報を入力する操作を受け付けることに加えて、ユーザー操作を起因として測色装置から分光データを取得すること等も含まれる。
類似度が基準を満たす登録ラミネート情報に紐付けられたプロファイルが複数存在する場合、当該複数のプロファイルのうち少なくとも一つのプロファイルを示す情報が検索結果に含まれていれば上記態様１に含まれる。また、検索結果には、類似度が基準を満たす登録ラミネート情報が存在しない場合における警告メッセージ、類似度が基準を満たしていない登録ラミネート情報に紐付けられたプロファイルを示す情報、等が含まれてもよい。
尚、上述した付言は、以下の態様においても適用される。
【００１４】
［態様２］
図７等に例示するように、前記データベース部Ａ０に蓄積された登録ラミネート情報ＤＬ１に含まれる分光データＤ０には、分光透過率を表すデータ（例えば分光透過率データＤ１）、及び、分光反射率を表すデータ（例えば分光反射率データＤ２）が含まれてもよい。前記検索対象ラミネート情報ＤＬ２に含まれる分光データＤ０は、分光透過率を表すデータと分光反射率を表すデータの少なくとも一方でもよい。本態様は、透過型と反射型の両方のラミネート印刷物Ｌ１に対する既存のラミネートプロファイル５００を検索することができるので、より適切なラミネートプロファイルを検索することができる。
【００１５】
［態様３］
図７，８等に例示するように、前記データベース部Ａ０に蓄積された登録ラミネート情報ＤＬ１、及び、前記検索対象ラミネート情報ＤＬ２は、前記ラミネートフィルムＦ１の表面加工を表す情報、及び、ラミネートフィルムＦ１の素材を表す情報を含んでいてもよい。この態様は、ラミネート情報の類似度Ｓ（ｉ）にラミネートフィルムＦ１の表面加工及び素材が反映されているので、より適切なラミネートプロファイルを検索することができる。
【００１６】
［態様４］
図７に例示するように、前記データベース部Ａ０に蓄積されたプロファイル情報Ｄ３は、前記ラミネート印刷物Ｌ１に含まれる被印刷物（print substrate）の種類に紐付けられてもよい。図１，５等に例示するように、本プロファイル検索装置は、前記検索対象ラミネート印刷物Ｌ２に含まれる被印刷物の種類の選択を受け付ける被印刷物選択受付部Ｕ４をさらに含んでいてもよい。前記類似度算出部Ｕ６は、前記データベース部Ａ０に蓄積された登録ラミネート情報ＤＬ１のうち前記被印刷物選択受付部Ｕ４において選択を受け付けた被印刷物の種類についての登録ラミネート情報と、前記検索対象ラミネート情報ＤＬ２と、の前記類似度Ｓ（ｉ）を算出してもよい。本態様は、被印刷物の種類がラミネートプロファイル５００の検索結果ＲＥに反映されるので、より適切なラミネートプロファイルを検索することができる。
【００１７】
［態様５］
図７に例示するように、前記データベース部Ａ０に蓄積されたプロファイル情報Ｄ３は、前記印刷物ＰＴ１が形成されたプリンターの種類に紐付けられてもよい。図１，５等に例示するように、本プロファイル検索装置は、前記プリンターの種類の選択を受け付けるプリンター選択受付部Ｕ３をさらに含んでいてもよい。前記類似度算出部Ｕ６は、前記データベース部Ａ０に蓄積された登録ラミネート情報ＤＬ１のうち前記プリンター選択受付部Ｕ３において選択を受け付けたプリンターの種類についての登録ラミネート情報と、前記検索対象ラミネート情報ＤＬ２と、の前記類似度Ｓ（ｉ）を算出してもよい。本態様は、プリンターの種類がラミネートプロファイル５００の検索結果ＲＥに反映されるので、より適切なラミネートプロファイルを検索することができる。
【００１８】
［態様６］
図５，１１，１２に例示するように、前記検索結果表示制御部Ｕ７は、前記類似度算出部Ｕ６において２以上算出された類似度Ｓ（ｉ）に前記基準を満たす複数の類似度がある場合、該複数の類似度のそれぞれについて前記基準を満たす登録ラミネート情報ＤＬ１に紐付けられたプロファイル情報Ｄ３を前記類似度の順に含めた前記検索結果ＲＥを前記表示部に表示させてもよい。ユーザーは基準を満たす複数のラミネートプロファイル５００の類似度順を知ることができるので、本態様は、より適切なラミネートプロファイルを検索することができる。
【００１９】
［態様７］
図５，１０に例示するように、本プロファイル検索装置は、前記データベース部Ａ０に蓄積されていない登録ラミネート情報ＤＬ１を取得して前記データベース部Ａ０に追加し、該追加された登録ラミネート情報ＤＬ１に紐付けられたプロファイル情報Ｄ３を前記データベース部Ａ０に追加する情報追加部Ｕ１をさらに含んでいてもよい。この態様は、データベース部Ａ０に情報が追加されるので、さらに多くのラミネートプロファイルからより適切なラミネートプロファイルを検索することができる。
ここで、情報追加部Ｕ１は、被印刷物の種類を表す情報をデータベース部Ａ０に追加してもよいし、プリンターの種類を表す情報をデータベース部Ａ０に追加してもよい。この付言は、以下の態様においても適用される。
【００２０】
［態様８］
図５，１４に例示するように、前記情報追加部Ｕ１は、前記類似度算出部Ｕ６において算出された類似度Ｓ（ｉ）に前記基準を満たす類似度が存在しなかった場合に前記検索対象ラミネート情報ＤＬ２を登録ラミネート情報ＤＬ１として前記データベース部Ａ０に追加してもよい。本プロファイル検索装置は、前記データベース部Ａ０に追加された登録ラミネート情報ＤＬ１に前記プロファイル情報Ｄ３を紐付けるプロファイル５００を作成するプロファイル作成部Ｕ２をさらに含んでいてもよい。前記情報追加部Ｕ１は、前記プロファイル作成部Ｕ２において作成されたプロファイル５００を示すプロファイル情報Ｄ３であって前記データベース部Ａ０に追加された登録ラミネート情報ＤＬ１に紐付けられたプロファイル情報Ｄ３を前記データベース部Ａ０に追加してもよい。本態様は、基準を満たす類似度が存在しなかった場合に情報がデータベース部Ａ０に追加されるので、より適切なラミネートプロファイルを提供することができる。
【００２１】
［態様９］
ところで、図１，１１に例示するように、本技術の一態様に係るプロファイル検索方法は、ラミネート情報受付部Ｕ５に対応するラミネート情報受付工程ＳＴ５、類似度算出部Ｕ６に対応する類似度算出工程ＳＴ６、及び、検索結果表示制御部Ｕ７に対応する検索結果表示工程ＳＴ７を含む。本態様は、ラミネートプロファイルが迅速に得られるプロファイル検索方法を提供することができる。本プロファイル検索方法は、図１，１０，１１に例示するように、被印刷物選択受付部Ｕ４に対応する被印刷物選択受付工程ＳＴ４、プリンター選択受付部Ｕ３に対応するプリンター選択受付工程ＳＴ３、情報追加部Ｕ１に対応する情報追加工程ＳＴ１、及び、プロファイル作成部Ｕ２に対応するプロファイル作成工程ＳＴ２をさらに含んでいてもよい。
【００２２】
［態様１０］
また、図５に例示するように、本技術の一態様に係るプロファイル検索プログラムＰＲ０は、ラミネート情報受付部Ｕ５に対応するラミネート情報受付機能ＦＵ５、類似度算出部Ｕ６に対応する類似度算出機能ＦＵ６、及び、検索結果表示制御部Ｕ７に対応する検索結果表示制御機能ＦＵ７をコンピューター（例えばホスト装置１００）に実現させる。本態様は、ラミネートプロファイルが迅速に得られるプロファイル検索プログラムを提供することができる。本プロファイル検索プログラムＰＲ０は、被印刷物選択受付部Ｕ４に対応する被印刷物選択受付機能ＦＵ４、プリンター選択受付部Ｕ３に対応するプリンター選択受付機能ＦＵ３、情報追加部Ｕ１に対応する情報追加機能ＦＵ１、及び、プロファイル作成部Ｕ２に対応するプロファイル作成機能ＦＵ２をコンピューターに実現させてもよい。
【００２３】
さらに、本技術は、プロファイル検索装置の制御方法、プロファイル検索装置を含む複合システム、複合システムの制御方法、プロファイル検索装置の制御プログラム、複合システムの制御プログラム、プロファイル検索プログラムや前記制御プログラムを記録したコンピューター読み取り可能な媒体、等に適用可能である。前述の装置は、分散した複数の部分で構成されてもよい。
【００２４】
（２）具体例に係るプロファイル検索装置及びプロファイル検索方法の概略：
図１は、具体例に係るプロファイル検索装置及びプロファイル検索方法の概略を模式的に示している。本プロファイル検索装置は、プロファイル検索方法の各工程ＳＴ１〜ＳＴ７に対応する各部Ｕ１〜Ｕ７を含んでいる。プロファイル検索装置の記憶装置１１４は、符号５００と示されているラミネートプロファイルを記憶し、ラミネートプロファイルを検索するためのデータベース部Ａ０を有している。詳しくは後述するが、データベース部Ａ０は、情報テーブル群として、プロファイルテーブルＴＡ１、プリンターテーブルＴＡ２、メディアテーブルＴＡ３、及び、ラミネートテーブルＴＡ４を含んでいる。
【００２５】
情報追加部Ｕ１は、ラミネートテーブルＴＡ４に蓄積されていない登録ラミネート情報ＤＬ１を取得してラミネートテーブルＴＡ４に追加し、該追加された登録ラミネート情報ＤＬ１に紐付けられたプロファイル情報Ｄ３をプロファイルテーブルＴＡ１に追加する。登録ラミネート情報ＤＬ１は、ラミネート印刷物Ｌ１の分光データＤ０を含み、本具体例では、ラミネート印刷物Ｌ１に含まれるラミネートフィルムＦ１の表面加工を表す情報、及び、ラミネートフィルムＦ１の素材を表す情報も含んでいる。プロファイル情報Ｄ３は、ラミネート印刷物Ｌ１の色再現特性を表すプロファイル５００を示す情報であり、本具体例ではプロファイル名である。
プロファイル作成部Ｕ２は、ラミネートテーブルＴＡ４に追加された登録ラミネート情報ＤＬ１にプロファイル情報Ｄ３を紐付けるプロファイル５００を作成する。
【００２６】
プリンター選択受付部Ｕ３は、検索対象ラミネート印刷物Ｌ２に含まれる印刷物ＰＴ１を形成するプリンターの種類の選択を受け付ける。
被印刷物選択受付部Ｕ４は、検索対象ラミネート印刷物Ｌ２に含まれる被印刷物の種類の選択を受け付ける。
【００２７】
ラミネート情報受付部Ｕ５は、プロファイル５００を検索する対象である検索対象ラミネート印刷物Ｌ２について分光データＤ０を含む検索対象ラミネート情報ＤＬ２の入力を受け付ける。検索対象ラミネート情報ＤＬ２は、検索対象ラミネート印刷物Ｌ２の分光データＤ０を含み、本具体例では、検索対象ラミネート印刷物Ｌ２に含まれるラミネートフィルムＦ１の表面加工を表す情報、及び、ラミネートフィルムＦ１の素材を表す情報も含んでいる。
類似度算出部Ｕ６は、ラミネートテーブルＴＡ４に蓄積された登録ラミネート情報ＤＬ１と、検索対象ラミネート情報ＤＬ２と、の類似度Ｓ（ｉ）を所定の計算式に従って算出する。ここでの変数ｉは、ラミネートテーブルＴＡ４に蓄積された登録ラミネート情報ＤＬ１を識別する変数である。類似度Ｓ（ｉ）の計算式の詳細は、後述する。本具体例の類似度算出部Ｕ６は、ラミネートテーブルＴＡ４に蓄積された登録ラミネート情報ＤＬ１のうち選択が受け付けられたプリンターの種類及び被印刷物の種類についての登録ラミネート情報と、検索対象ラミネート情報ＤＬ２と、の類似度Ｓ（ｉ）を算出する。
【００２８】
検索結果表示制御部Ｕ７は、類似度Ｓ（ｉ）が基準を満たす場合にデータベース部Ａ０において類似度Ｓ（ｉ）が基準を満たす登録ラミネート情報ＤＬ１に紐付けられたプロファイル情報Ｄ３を含めた検索結果ＲＥを表示装置１３０に表示させる。本具体例の検索結果表示制御部Ｕ７は、類似度算出部Ｕ６において２以上算出された類似度Ｓ（ｉ）に基準を満たす複数の類似度Ｓ（ｉ）がある場合、該複数の類似度Ｓ（ｉ）のそれぞれについて基準を満たす登録ラミネート情報ＤＬ１に紐付けられたプロファイル情報Ｄ３を類似度Ｓ（ｉ）の順に含めた検索結果ＲＥを表示装置１３０に表示させる。
【００２９】
尚、色再現精度を担保するためには、都度、ラミネートプロファイルを作成することが望ましい。しかし、印刷物にラミネート加工した後のラミネートプロファイルの作成は、作業工程が多いため、現実的には困難な場合も多い。また、ラミネート加工前後の印刷物の色変動を予測してラミネートプロファイルを作成することを考えても、全色空間の色再現精度を担保することは困難である。
【００３０】
本具体例では、類似度Ｓ（ｉ）が基準を満たす登録ラミネート情報ＤＬ１に紐付けられたプロファイル情報Ｄ３を含めた検索結果ＲＥが表示されるので、ユーザーは、既存のラミネートプロファイルから最適なラミネートプロファイルを容易に特定することができる。特定されたラミネートプロファイルは、検索対象ラミネート印刷物Ｌ２に適用される。従って、ユーザーは、ラミネートプロファイルの作成時間を短縮することができる。
【００３１】
（３）印刷システムの構成の具体例：
図２は、印刷システムの構成を模式的に例示している。図２に示す印刷システムＳＹ１は、ホスト装置１００、表示装置１３０、プリンター２００、ラミネート処理装置３００、及び、測色装置１２０を含んでいる。
【００３２】
ホスト装置１００は、プロファイル検索装置の例であり、ラミネートプロファイルを検索するための条件を受け付け、検索結果ＲＥを生成して表示装置１３０に表示させる。
表示装置１３０は、表示部の例であり、詳しくは後述するが、図１０に示す選択欄７０１，７０２を表示したり、図１２，１３に示す検索画面８００を表示したりする。
【００３３】
プリンター２００は、被印刷物ＭＥ１に画像を印刷して印刷物ＰＴ１を形成する。被印刷物ＭＥ１には、光が透過する透過型の被印刷物、光が反射する反射型の被印刷物、及び、乳白色の被印刷物といった透過型と反射型の兼用の被印刷物がある。画像がカラーチャートである場合、印刷物ＰＴ１はカラーチャートの印刷物となる。
ラミネート処理装置３００は、印刷物ＰＴ１の少なくとも印刷面に透明性を有するラミネートフィルムＦ１を被覆する。ラミネートフィルムＦ１には、例えば、ポリプロピレン樹脂やポリエチレン樹脂といった透明性を有する合成樹脂のフィルムを用いることができる。印刷物ＰＴ１にラミネートフィルムＦ１を被覆すると、ラミネート印刷物Ｌ１が形成される。これにより、印刷物ＰＴ１がラミネートフィルムＦ１に保護され、擦過等に対して耐久性が向上する。ラミネート処理装置３００は、印刷物ＰＴ１の片面にラミネートフィルムＦ１を被覆してもよいし、印刷物ＰＴ１の両面にラミネートフィルムＦ１を被覆してもよい。
【００３４】
測色装置１２０は、光源の波長に応じた分光データＤ０を取得可能な分光測色計であり、ラミネート印刷物Ｌ１の非印刷部分の分光特性を測定して得られる分光データＤ０をホスト装置１００に送信する。分光データＤ０には、分光透過率を表す分光透過率データＤ１と分光反射率を表す分光反射率データＤ２の少なくとも一方が含まれる。また、測色装置１２０は、カラーチャートのパッチの測色値ＤＣを取得可能であり、ラミネート印刷物Ｌ１のパッチを測色して得られる測色値ＤＣをホスト装置１００に送信する。パッチは、色票とも呼ばれる。測色値ＤＣは、機器独立色空間（device independent color space）の座標値であり、例えば、ＣＩＥ Ｌ*ａ*ｂ*色空間の明度Ｌ*及び色度座標ａ*，ｂ*を表すＬ*ａ*ｂ*値を用いることができる。
尚、以下の明細書中において、Ｌ*ａ*ｂ*色空間、並びに、Ｌ*、ａ*、及び、ｂ*を表すための「*」の記載を省略する。
【００３５】
ホスト装置１００は、分光データＤ０を用いてラミネートプロファイルを検索し、検索結果ＲＥを表示装置１３０に表示させる。また、ホスト装置１００は、測色値ＤＣを用いてラミネートプロファイルを作成することも可能である。
【００３６】
図３は、ラミネート処理装置３００の例を模式的に示している。図３に示すラミネート処理装置３００は、加熱板３２３、支柱３２９、加圧板３２２、ハンドル３２１、及び、コントローラー３２５を備えている。加熱板３２３は、印刷物ＰＴ１とラミネートフィルムＦ１との積層物を加熱する。支柱３２９は、加熱板３２３の一縁部から加熱板３２３の加熱面３２３ａに交差する方向へ延出している。加圧板３２２は、支柱３２９に支えられ、両矢印Ｓの向き、すなわち、加熱面３２３ａに近付く向き、及び、加熱面３２３ａから離れる向きへ回転動作可能である。ハンドル３２１は、加圧板３２２に取り付けられている。コントローラー３２５は、加熱板３２３の加熱条件の設定をユーザーから受け付ける。図３に示すコントローラー３２５は、タッチパネル３２６を備えたタブレット端末であり、ラミネート処理装置３００の本体３２０に対して通信ケーブル３２７により接続され、通信ケーブル３２７を介してラミネート処理装置３００の動作を制御する。
【００３７】
印刷物ＰＴ１とラミネートフィルムＦ１との積層物を加熱板３２３に載せてハンドル３２１の操作により加熱板３２３と加圧板３２２とで挟んで加熱すると、ラミネート印刷物Ｌ１が形成される。
【００３８】
むろん、ラミネート処理装置３００は、図３で示した例に限定されない。例えば、ラミネート処理装置３００は、ロール状のラミネートフィルムＦ１を解いて印刷物ＰＴ１に重ねて加熱ローラーにより積層物を加熱及び加圧することにより、ラミネート印刷物Ｌ１を形成してもよい。
【００３９】
図４Ａは、測色装置１２０の例として透過型の測色装置である透過測色装置１２１によりラミネート印刷物Ｌ１のカラーチャートのパッチＰＡ１を測色する様子を模式的に例示している。透過測色装置１２１は、カラーチャートに含まれる各パッチＰＡ１を測色して透過測色値ＤＣ１を取得する。ここで、パッチＰＡ１を識別する変数をｉとし、変数ｉに対応するパッチＰＡ１の透過測色値ＤＣ１のＬａｂ値をＬＴｉ，ａＴｉ，ｂＴｉとする。
図４Ａに示す透過測色装置１２１は、光透過性を有する印刷物ＰＴ１及びラミネートフィルムＦ１を含むラミネート印刷物Ｌ１の裏面Ｌ１ｂ側に配置された光源１２１ａ、及び、ラミネート印刷物Ｌ１の表面Ｌ１ａ側に配置された測色部１２１ｂを有している。光源１２１ａからの光はラミネート印刷物Ｌ１を透過し、パッチＰＡ１から出た透過光ＬＴ１が測色部１２１ｂに入る。測色部１２１ｂが透過光ＬＴ１の測色量を検出すると、透過測色装置１２１は、前述の測色量に対応する透過測色値（ＬＴｉ，ａＴｉ，ｂＴｉ）を出力する。透過測色値（ＬＴｉ，ａＴｉ，ｂＴｉ）は、パッチＰＡ１が形成されたラミネート印刷物Ｌ１に光を透過させた場合のパッチＰＡ１の測色値であり、パッチＰＡ１毎に得られる。ホスト装置１００は、透過測色装置１２１から透過測色値（ＬＴｉ，ａＴｉ，ｂＴｉ）を取得して各種処理を行う。
【００４０】
また、透過測色装置１２１は、光源の波長に応じた分光透過率データを取得可能な分光測色計であり、図２で示したように、ラミネート印刷物Ｌ１の分光特性を測定して得られる分光透過率データＤ１をホスト装置１００に送信する。ホスト装置１００は、透過測色装置１２１から分光透過率データＤ１を取得して各種処理を行う。
【００４１】
図４Ｂは、測色装置１２０の例として反射型の測色装置である反射測色装置１２２によりラミネート印刷物Ｌ１のカラーチャートのパッチＰＡ１を測色する様子を模式的に例示している。反射測色装置１２２は、カラーチャートに含まれる各パッチＰＡ１を測色して反射測色値ＤＣ２を取得する。ここで、パッチＰＡ１を識別する変数ｉに対応するパッチＰＡ１の反射測色値ＤＣ２のＬａｂ値をＬＲｉ，ａＲｉ，ｂＲｉとする。
図４Ｂに示す反射測色装置１２２は、光を反射させる印刷物ＰＴ１及び光透過性を有するラミネートフィルムＦ１を含むラミネート印刷物Ｌ１の表面Ｌ１ａ側に配置された光源１２２ａ、及び、測色部１２２ｂを有している。光源１２２ａからの光はパッチＰＡ１の表面で反射し、反射光ＬＴ２となって測色部１２２ｂに入る。測色部１２２ｂが反射光ＬＴ２の測色量を検出すると、反射測色装置１２２は、前述の測色量に対応する反射測色値（ＬＲｉ，ａＲｉ，ｂＲｉ）を出力する。反射測色値（ＬＲｉ，ａＲｉ，ｂＲｉ）は、パッチＰＡ１の表面に光を反射させた場合のパッチＰＡ１の測色値であり、パッチＰＡ１毎に得られる。ホスト装置１００は、反射測色装置１２２から反射測色値（ＬＲｉ，ａＲｉ，ｂＲｉ）を取得して各種処理を行う。
【００４２】
また、反射測色装置１２２は、光源の波長に応じた分光反射率データを取得可能な分光測色計であり、図２で示したように、ラミネート印刷物Ｌ１の分光特性を測定して得られる分光反射率データＤ２をホスト装置１００に送信する。ホスト装置１００は、反射測色装置１２２から分光反射率データＤ２を取得して各種処理を行う。
【００４３】
尚、測色装置１２０は、透過測色装置１２１と反射測色装置１２２の両方の機能を有する一体型の装置でもよい。
【００４４】
図５は、プロファイル検索装置の構成例としてホスト装置１００を周辺装置とともに模式的に示している。図５に示すシステムは、ホスト装置１００の他、表示装置１３０、測色装置１２０、及び、インクジェットプリンター２００を含んでいる。ホスト装置１００は、ＣＰＵ１１１、ＲＯＭ１１２、ＲＡＭ１１３、記憶装置１１４、入力装置１１５、通信Ｉ／Ｆ １１８、測色装置用Ｉ／Ｆ １１９、等が接続されて互いに情報を入出力可能とされている。ここで、ＣＰＵはCentral Processing Unitの略称であり、ＲＯＭはRead Only Memoryの略称であり、ＲＡＭはRandom Access Memoryの略称であり、Ｉ／Ｆはインターフェイスの略称である。ＲＯＭ１１２とＲＡＭ１１３と記憶装置１１４はメモリーであり、少なくともＲＯＭ１１２とＲＡＭ１１３は半導体メモリーである。表示装置１３０は、ホスト装置１００からの表示データに基づいて該表示データに対応する画面を表示する。表示装置１３０には、液晶表示パネル等を用いることができる。
【００４５】
記憶装置１１４は、図示しないＯＳ、プロファイル検索プログラムＰＲ０、符号５００と示されているラミネートプロファイル、データベース部Ａ０、等を記憶している。これらは、適宜、ＲＡＭ１１３に読み出され、色選択用カラーチャートの生成処理に使用される。ここで、ＯＳは、オペレーティングシステムの略称である。記憶装置１１４には、フラッシュメモリー等の不揮発性半導体メモリー、ハードディスク等の磁気記憶装置、等を用いることができる。
【００４６】
入力装置１１５には、ポインティングデバイス、キーボードを含むハードキー、表示パネルの表面に貼り付けられたタッチパネル、等を用いることができる。通信Ｉ／Ｆ １１８は、プリンター２００の通信Ｉ／Ｆ ２１０に接続され、プリンター２００に対して印刷データ等といった情報を入出力する。測色装置用Ｉ／Ｆ １１９は、測色装置１２０に接続され、測色装置１２０から測色値を含む測色データを入手する。測色装置１２０には、例えば、図４Ａで示した透過測色装置１２１と図４Ｂで示した反射測色装置１２２の少なくとも一方が用いられる。Ｉ／Ｆ １１８，１１９，２１０の規格には、ＵＳＢ、近距離無線通信規格、等を用いることができる。ここで、ＵＳＢは、Universal Serial Busの略称である。通信Ｉ／Ｆ １１８，１１９，２１０の通信は、有線でもよいし、無線でもよく、ＬＡＮやインターネット等といったネットワーク通信でもよい。ここで、ＬＡＮは、Local Area Networkの略称である。
【００４７】
図５に示すプロファイル検索プログラムＰＲ０は、情報追加機能ＦＵ１、プロファイル作成機能ＦＵ２、プリンター選択受付機能ＦＵ３、被印刷物選択受付機能ＦＵ４、ラミネート情報受付機能ＦＵ５、類似度算出機能ＦＵ６、及び、検索結果表示制御機能ＦＵ７をホスト装置１００に実現させる。
【００４８】
ホスト装置１００のＣＰＵ１１１は、記憶装置１１４に記憶されている情報を適宜、ＲＡＭ１１３に読み出し、読み出したプログラムを実行することにより各種処理を行う。ＣＰＵ１１１は、ＲＡＭ１１３に読み出されたプロファイル検索プログラムＰＲ０を実行することにより、上述した機能ＦＵ１〜ＦＵ７に対応する処理を行う。プロファイル検索プログラムＰＲ０は、コンピューターであるホスト装置１００を、情報追加部Ｕ１、プロファイル作成部Ｕ２、プリンター選択受付部Ｕ３、被印刷物選択受付部Ｕ４、ラミネート情報受付部Ｕ５、類似度算出部Ｕ６、及び、検索結果表示制御部Ｕ７として機能させる。また、プロファイル検索プログラムＰＲ０を実行するホスト装置１００は、情報追加工程ＳＴ１、プロファイル作成工程ＳＴ２、プリンター選択受付工程ＳＴ３、被印刷物選択受付工程ＳＴ４、ラミネート情報受付工程ＳＴ５、類似度算出工程ＳＴ６、及び、検索結果表示工程ＳＴ７を実施する。上述した機能ＦＵ１〜ＦＵ７をコンピューターに実現させるプロファイル検索プログラムＰＲ０を記憶したコンピューター読み取り可能な媒体は、ホスト装置の内部の記憶装置に限定されず、ホスト装置の外部の記録媒体でもよい。
【００４９】
尚、ホスト装置１００には、タブレット型端末を含むパーソナルコンピューターといったコンピューター等が含まれる。例えば、デスクトップ型パーソナルコンピューターの本体をホスト装置１００に適用する場合、通常、この本体に表示装置１３０、測色装置１２０、及び、プリンター２００が接続される。ノート型パーソナルコンピューターのように表示装置一体型のコンピューターをホスト装置１００に適用する場合、通常、このコンピューターに測色装置１２０、及び、プリンター２００が接続される。表示装置一体型のホスト装置でも、内部の表示装置に表示データを出力していることに変わりない。また、ホスト装置１００は、一つの筐体内に全構成要素１１１〜１１９を有してもよいが、互いに通信可能に分割された複数の装置で構成されてもよい。さらに、表示装置１３０と測色装置１２０とプリンター２００の少なくとも一部がホスト装置１００にあっても、本技術を実施可能である。
【００５０】
図５に示すプリンター２００は、色材として、少なくとも、Ｃインク、Ｍインク、Ｙインク、及び、Ｋインクを記録ヘッド２２０から吐出して印刷データに対応する出力画像ＩＭ０を形成するインクジェットプリンターであるものとする。ここで、Ｃはシアンを意味し、Ｍはマゼンタを意味し、Ｙはイエローを意味し、Ｋはブラックを意味する。記録ヘッド２２０は、インクカートリッジＣｃ，Ｃｍ，Ｃｙ，ＣｋからそれぞれＣ，Ｍ，Ｙ，Ｋのインクが供給され、ノズルＮｃ，Ｎｍ，Ｎｙ，ＮｋからそれぞれＣ，Ｍ，Ｙ，Ｋのインク滴２８０を噴射する。インク滴２８０が被印刷物ＭＥ１に着弾すると、インクドットが被印刷物ＭＥ１に形成される。その結果、被印刷物ＭＥ１上に出力画像ＩＭ０を有する印刷物ＰＴ１が得られる。印刷物ＰＴ１には、図３で示したラミネート処理装置３００によりラミネートフィルムＦ１が被覆される。印刷物ＰＴ１にラミネートフィルムＦ１が被覆されたラミネート印刷物Ｌ１の色再現特性を表すプロファイル５００を作成する場合、各格子点の色に対応するパッチを有するカラーチャートがプリンター２００により被印刷物ＭＥ１に形成されてもよい。各パッチの測色値を有する色変換テーブルは、Ａ２Ｂテーブルとしてプロファイル５００の作成に使用される。
【００５１】
（４）プロファイルの具体例：
図６は、符号５００と示されているラミネートプロファイルの構造を模式的に例示している。プロファイル５００には、例えば、ＩＣＣプロファイルのデータフォーマットを用いることができる。ここで、ＩＣＣは、International Color Consortiumの略称である。図６に示すプロファイル５００は、デバイスに依存するＣＭＹＫ色空間ＣＳ１の座標値とＬａｂ色空間ＣＳ２の座標値との対応関係を表すデータであり、デバイスの出力色の特性を表す。デバイスには、オフセット印刷機やグラビア印刷機やフレキソ印刷機や表示装置といった入力側のデバイス、及び、インクジェットプリンター２００といった出力側のデバイスが含まれる。
【００５２】
プロファイル５００は、ＣＭＹＫ色空間ＣＳ１の座標値をＬａｂ色空間ＣＳ２の座標値に変換する色変換テーブルであるＡ２Ｂテーブル５０１、及び、Ｌａｂ色空間ＣＳ２の座標値をＣＭＹＫ色空間ＣＳ１の座標値に変換する色変換テーブルであるＢ２Ａテーブル５０２を含んでいる。
【００５３】
Ａ２Ｂテーブル５０１は、ＣＭＹＫ色空間ＣＳ１の座標値であるＣＭＹＫ値（Ｃi，Ｍi，Ｙi，Ｋi）と、Ｌａｂ色空間ＣＳ２の座標値であるＬａｂ値（Ｌi，ａi，ｂi）と、の対応関係を規定したデータである。Ａ２Ｂテーブル５０１の格子点ＧＤ１は、通常、ＣＭＹＫ色空間にＣ軸方向、Ｍ軸方向、Ｙ軸方向、及び、Ｋ軸方向へ略等間隔となるように並べられる。尚、ここでの変数ｉは、ＣＭＹＫ色空間ＣＳ１に設定された格子点ＧＤ１を識別する変数である。ＣＭＹＫ色空間ＣＳ１がプリンター２００に依存する色空間である場合、ＣＭＹＫ値（Ｃi，Ｍi，Ｙi，Ｋi）はプリンター２００の使用インク量に合わせた座標値となる。
【００５４】
Ｂ２Ａテーブル５０２は、Ｌａｂ色空間ＣＳ２のＬａｂ値（Ｌj，ａj，ｂj）と、ＣＭＹＫ色空間ＣＳ１のＣＭＹＫ値（Ｃj，Ｍj，Ｙj，Ｋj）と、の対応関係を規定したデータである。Ｂ２Ａテーブル５０２の格子点ＧＤ２は、通常、Ｌａｂ色空間にＬ軸方向、ａ軸方向、及び、ｂ軸方向へ略等間隔となるように並べられる。尚、ここでの変数ｊは、Ｌａｂ色空間に設定された格子点ＧＤ２を識別する変数である。
【００５５】
尚、プロファイル５００に含まれる色変換テーブルは、単一の変換テーブルに限定されず、１次元の変換テーブルと３又は４次元の変換テーブルと１次元の変換テーブルとの組合せ等、複数の変換テーブルの組合せでもよい。従って、図６に示すＡ２Ｂテーブル５０１及びＢ２Ａテーブル５０２は、プロファイル５００に含まれる３又は４次元の変換テーブルを直接示す場合もあれば、プロファイル５００に含まれる複数の変換テーブルを組み合わせた状態を示す場合もある。
また、格子点（grid point）は入力側の色空間に配置された仮想の点を意味し、入力側の色空間における格子点の位置に対応する出力側の座標値が該格子点に格納されていると想定することにしている。複数の格子点が入力側の色空間内で均等に配置されるのみならず、複数の格子点が入力側の色空間内で不均等に配置されることも、本技術に含まれる。
【００５６】
プリンター２００がＣＭＹＫの計４色のインクを使用する場合、ＣＭＹＫ値は、そのまま、又は、印刷用のデータに変換されてプリンター２００に送信され、印刷に使用される。プリンター２００が５色以上のインクを使用する場合、ＣＭＹＫ値が色分版テーブルにより５色以上のインク使用量を表すデータに変換されてプリンター２００に送信され、印刷に使用される。５色以上のインクの色には、ＣＭＹＫの他、Ｃよりも低濃度のＬｃすなわちライトシアン、Ｍよりも低濃度のＬｍすなわちライトマゼンタ、Ｙよりも高濃度のＤｙすなわちダークイエロー、Ｋよりも低濃度のＬｋすなわちライトブラック、等の一部又は全部が例示される。ホスト装置１００又はプリンター２００は、色分版テーブルに従ってＣＭＹＫ値を濃色と淡色に分版すると、印刷物に画像を再現させることができる。例えば、プリンター２００がＣ，Ｍ，Ｙ，Ｋ，Ｌｃ，Ｌｍの計６色のインクを使用する場合、ＣＭＹＫ色空間の座標値にＣ，Ｍ，Ｙ，Ｋ，Ｌｃ，Ｌｍそれぞれのインク使用量を表す階調値が対応付けられた色分版テーブルを使用すればよい。
【００５７】
（５）データベース部の具体例：
図７は、記憶装置１１４に記憶されているデータベース部Ａ０の構造を模式的に例示している。データベース部Ａ０は、プロファイルテーブルＴＡ１、プリンターテーブルＴＡ２、メディアテーブルＴＡ３、及び、ラミネートテーブルＴＡ４を含んでいる。
【００５８】
プロファイルテーブルＴＡ１には、各ラミネートプロファイルについて、プロファイルＩＤ、プロファイル名、プリンターＩＤ、メディアＩＤ、及び、ラミネートＩＤが対応付けられて格納されている。ここで、ＩＤは、identifierの略称である。プロファイルＩＤは、ラミネートプロファイルを識別する情報である。プロファイル名は、ラミネートプロファイルの名称を表す情報であり、ユーザーが表示装置１３０の画面上で見ることにより、どのラミネートプロファイルであるかが分かるようにされた情報である。プロファイル名は、ラミネートプロファイルを示すプロファイル情報Ｄ３の例である。プリンターＩＤは、ラミネートプロファイルを使用して印刷を行うプリンターを識別する情報であり、プリンターテーブルＴＡ２にも格納されている。メディアＩＤは、ラミネート印刷物Ｌ１に含まれる被印刷物ＭＥ１を識別する情報であり、メディアテーブルＴＡ３にも格納されている。ラミネートＩＤは、ラミネートフィルムＦ１を識別する情報であり、ラミネートテーブルＴＡ４にも格納されている。
【００５９】
プロファイルテーブルＴＡ１において、プロファイル名にプリンターＩＤが対応付けられていることから、ラミネート印刷物Ｌ１に含まれる印刷物ＰＴ１が形成されたプリンターの種類にプロファイル名が紐付けられていることになる。また、プロファイル名にメディアＩＤが対応付けられていることから、ラミネート印刷物Ｌ１に含まれる被印刷物の種類にプロファイル名が紐付けられていることになる。さらに、ラミネートテーブルＴＡ４に分光反射率データＤ２と分光透過率データＤ１の少なくとも一方がメディアＩＤ毎に格納されているため、プロファイルテーブルＴＡ１には登録ラミネート情報ＤＬ１に紐付けられたプロファイル５００を示すプロファイル名が蓄積されていることになる。
【００６０】
プリンターテーブルＴＡ２には、各プリンターについて、プリンターＩＤとプリンター名が対応付けられて格納されている。プリンター名は、プリンターの名称を表す情報であり、ユーザーが表示装置１３０の画面上で見ることにより、どのプリンターであるかが分かるようにされた情報である。
【００６１】
メディアテーブルＴＡ３には、各被印刷物について、メディアＩＤ、メディア名、及び、反射型であるか透過型であるかを表す性質の情報が対応付けられて格納されている。メディア名は、被印刷物の名称を表す情報であり、ユーザーが表示装置１３０の画面上で見ることにより、どの被印刷物であるかが分かるようにされた情報である。性質の情報は、被印刷物が反射型であるか、透過型であるか、或いは、反射型と透過型の兼用であるかを表す情報である。
【００６２】
ラミネートテーブルＴＡ４には、各ラミネートフィルムについて、ラミネートＩＤ、ラミネート名、表面加工の情報、素材の情報、及び、分光反射率データＤ２と分光透過率データＤ１の少なくとも一方が対応付けられて格納されている。ラミネート名は、ラミネートフィルムの名称を表す情報であり、ユーザーが表示装置１３０の画面上で見ることにより、どのラミネートフィルムであるかが分かるようにされた情報である。表面加工の情報は、ラミネートフィルムの表面加工を表す情報であり、例えば、光沢感を出すグロス加工を意味する「グロス」、艶無し感を出すマット加工を意味する「マット」、等を含む。素材の情報は、ラミネートフィルムの素材を表す情報であり、例えば、フッ素加工ビニル、塩化ビニル、アクリル、等を含む。分光反射率データＤ２は、分光反射率を表すデータであり、波長毎の光の反射率を表す分光データである。例えば、分光反射率データＤ２には、３８０ｎｍから４９０ｎｍまで１０ｎｍ刻みの分光データを用いることができる。分光透過率データＤ１は、分光透過率を表すデータであり、波長毎の光の透過率を表す分光データである。例えば、分光透過率データＤ１には、３８０ｎｍから４９０ｎｍまで１０ｎｍ刻みの分光データを用いることができる。本具体例において、表面加工の情報、素材の情報、及び、分光反射率データＤ２又は分光透過率データＤ１は、ラミネート印刷物Ｌ１についての登録ラミネート情報ＤＬ１であり、被印刷物の種類毎にメディアＩＤに対応付けられてラミネートテーブルＴＡ４に格納される。ラミネートテーブルＴＡ４は、ラミネート印刷物Ｌ１について分光データＤ０を含む登録ラミネート情報ＤＬ１が蓄積されていることになる。
【００６３】
（６）ラミネート情報の類似度の算出例：
次に、図８，９を参照して、ラミネート情報の類似度Ｓ（ｉ）を算出する具体例を説明する。図８は、ラミネート情報の類似度Ｓ（ｉ）を算出する様子を模式的に例示している。図９は、類似度Ｓ（ｉ）の計算値を模式的に例示している。
【００６４】
類似度Ｓ（ｉ）は、ラミネートテーブルＴＡ４に格納されているｉ番目の登録ラミネート情報ＤＬ１と、検索対象ラミネート印刷物Ｌ２についてユーザーから入力を受け付けた検索対象ラミネート情報ＤＬ２と、を用いて算出される。ここで、登録ラミネート情報ＤＬ１について、表面加工を表す情報をＡiとし、素材を表す情報をＢiとし、分光データＤ０の波長毎の分光値をＣijとする。ここでの変数ｊは、光の波長を識別する変数であり、図８に示す例では３８０〜４９０ｎｍの１０ｎｍ刻みの波長を識別する変数である。この場合の波長の総数Ｎは、１２である。また、検索対象ラミネート情報ＤＬ２について、表面加工を表す情報をａとし、素材を表す情報をｂとし、分光データＤ０の波長毎の分光値をｃjとする。
【００６５】
まず、ラミネート情報の項目毎の類似度を表す関数ｆＡ（ｉ），関数ｆＢ（ｉ），関数ｆＣ（ｉ）を以下のように定義する。
表面加工の類似度を表す関数ｆＡ（ｉ）については、
ａ＝Ａiである場合、ｆＡ（ｉ）＝１
ａ≠Ａiである場合、ｆＡ（ｉ）＝０
とする。
素材の類似度を表す関数ｆＢ（ｉ）については、
ｂ＝Ｂiである場合、ｆＢ（ｉ）＝１
ｂ≠Ｂiである場合、ｆＢ（ｉ）＝０
とする。
分光データＤ０の類似度を表す関数ｆＣ（ｉ）については、波長毎の分光値のユークリッド距離の相加平均値、すなわち、分光値ｃjと分光値Ｃijとの差の絶対値｜ｃj−Ｃij｜の相加平均値を１から差し引いた値とする。
【数１】
2020064475.tif 000003
【００６６】
類似度Ｓ（ｉ）は、上述した関数ｆＡ（ｉ），関数ｆＢ（ｉ），関数ｆＣ（ｉ）の重み付け平均値とすることができる。ここで、関数ｆＡ（ｉ）に対する重みをＷａとし、関数ｆＢ（ｉ）に対する重みをＷｂとし、関数ｆＣ（ｉ）に対する重みをＷｃとし、重みＷａ，Ｗｂ，Ｗｃの総和をＷとする。ここで、Ｗａ＞０、Ｗｂ＞０、Ｗｃ＞０である。類似度Ｓ（ｉ）は、以下の計算式に従って算出することができる。
【数２】
2020064475.tif 000004
【００６７】
図９は、ラミネートテーブルＴＡ４にラミネートＩＤ＝０〜４の５種類の登録ラミネート情報ＤＬ１があり、Ｗａ＝０．９、Ｗｂ＝０．１、Ｗｃ＝１、Ｗ＝２である場合に各類似度Ｓ（ｉ）を算出した例を模式的に示している。図９中、一番上の表はラミネートテーブルＴＡ４を示し、上から２番目の表は検索対象ラミネート情報ＤＬ２を示し、上から３番目のテーブルＴＡ１１は関数ｆＡ（ｉ），関数ｆＢ（ｉ），関数ｆＣ（ｉ）及び絶対値｜ｃj−Ｃij｜の値を示し、一番下の左側のテーブルＴＡ１２は重みを乗じた関数値Ｗａ×ｆＡ（ｉ），Ｗｂ×ｆＢ（ｉ），Ｗｃ×ｆＣ（ｉ）を示し、一番下の右側のテーブルＴＡ１３は類似度Ｓ（ｉ）を示している。テーブルＴＡ１１にある太線の囲みは、絶対値｜ｃj−Ｃij｜を表している。
【００６８】
テーブルＴＡ１１に示すように、表面加工の類似度を表す関数ｆＡ（ｉ）の値は、登録ラミネート情報ＤＬ１と検索対象ラミネート情報ＤＬ２とで表面加工の情報が一致している場合に１となり、登録ラミネート情報ＤＬ１と検索対象ラミネート情報ＤＬ２とで表面加工の情報が違う場合に０となっている。素材の類似度を表す関数ｆＢ（ｉ）の値は、登録ラミネート情報ＤＬ１と検索対象ラミネート情報ＤＬ２とで素材の情報が一致している場合に１となり、登録ラミネート情報ＤＬ１と検索対象ラミネート情報ＤＬ２とで素材の情報が違う場合に０となっている。分光データＤ０の類似度を表す関数ｆＣ（ｉ）の値は、上記式（１）を示したように、分光値ｃj，Ｃijの差の絶対値｜ｃj−Ｃij｜の相加平均値を１から差し引いた値となっている。
テーブルＴＡ１２に示すように、重み付き関数値Ｗａ×ｆＡ（ｉ）は、表面加工の情報が一致している場合に０．９となり、表面加工の情報が違う場合に０となる。重み付き関数値Ｗｂ×ｆＢ（ｉ）は、素材の情報が一致している場合に０．１となり、素材の情報が違う場合に０となる。重み付き関数値Ｗｃ×ｆＣ（ｉ）は、関数ｆＣ（ｉ）の値と同じである。
【００６９】
テーブルＴＡ１３に示すように、類似度Ｓ（ｉ）は、重み付き関数値Ｗａ×ｆＡ（ｉ），Ｗｂ×ｆＢ（ｉ），Ｗｃ×ｆＣ（ｉ）の和をＷ＝２で除した値となる。類似度Ｓ（ｉ）が大きいほど、登録ラミネート情報ＤＬ１に紐付けられたラミネート印刷物の特性が検索対象ラミネート印刷物Ｌ２の特性に近いといえる。逆に、類似度Ｓ（ｉ）が小さいほど、登録ラミネート情報ＤＬ１に紐付けられたラミネート印刷物の特性が検索対象ラミネート印刷物Ｌ２の特性から遠いといえる。そこで、詳しくは後述するが、図１１に示すように類似度Ｓ（ｉ）に対する閾値ＴＨを用意して、Ｓ（ｉ）≧ＴＨといった基準を満たす場合に該当するプロファイル名を含めた検索結果ＲＥが表示されるようにしている。
【００７０】
（７）プロファイル検索装置において行われる処理の具体例：
図１０は、図５で示したホスト装置１００で行われるデータベース登録処理を例示している。この処理は、ステップＳ１０２〜Ｓ１１４の処理を含んでいる。以下、「ステップ」の記載を省略する。ここで、Ｓ１０２においてラミネートプロファイルを作成する場合、Ｓ１０２は、プロファイル作成工程ＳＴ２、プロファイル作成機能ＦＵ２、及び、プロファイル作成部Ｕ２に対応する。Ｓ１０４〜Ｓ１１４は、情報追加工程ＳＴ１、情報追加機能ＦＵ１、及び、情報追加部Ｕ１に対応している。ホスト装置１００は、マルチタスクにより複数の処理を並列して実行している。
【００７１】
データベース登録処理が開始されると、ホスト装置１００は、Ｓ１０２において、プリンターＩＤとプリンター名を含むプリンター情報、及び、メディアＩＤとメディア名と性質の情報を含むメディア情報を含めて、ラミネートプロファイルの情報を取得する。上述したように、メディア情報の性質の情報とは、被印刷物が反射型であるか、透過型であるか、或いは、反射型と透過型の兼用であるかを表す情報である。ラミネートプロファイルの情報には、プロファイルＩＤとプロファイル名が含まれる。Ｓ１０２の処理では、ラミネートプロファイルが新たに作成されてもよい。
【００７２】
ラミネートプロファイルは、例えば、以下のようにして作成することができる。
まず、図６で示したプロファイル５００に格納されるＡ２Ｂテーブル５０１の各格子点ＧＤ１の色に対応するパッチを有するカラーチャートの印刷物ＰＴ１をホスト装置１００がプリンター２００に形成させる。カラーチャートには、インクが付着していない空白パッチが含まれている。印刷物ＰＴ１において、空白パッチは紙白とも呼ばれる非印刷部分である。この非印刷部分は、ラミネート印刷物Ｌ１の分光データＤ０を取得するために利用される。むろん、空白パッチの代わりに印刷物ＰＴ１の余白部分をラミネート印刷物Ｌ１の分光データＤ０の取得に利用してもよい。
【００７３】
次に、図３で示したラミネート処理装置３００がカラーチャートの印刷物ＰＴ１の少なくとも印刷面にラミネートフィルムＦ１を被覆する。これにより、カラーチャートを有するラミネート印刷物Ｌ１が形成される。
図２を参照して説明すると、ホスト装置１００は、ラミネート印刷物Ｌ１の各パッチの測色値ＤＣを測色装置１２０から取得する。この時、測色装置１２０は、ラミネート印刷物Ｌ１の各パッチを測色して得られるＬａｂ値を測色値ＤＣとしてホスト装置１００に送信する。また、測色装置１２０は、ラミネート印刷物Ｌ１の非印刷部分の分光特性を測定し、得られる分光データＤ０をホスト装置１００に送信する。ラミネート印刷物Ｌ１が透過型の印刷物である場合、図４Ａで示した透過測色装置１２１を使用して各パッチＰＡ１を測色して得られるＬａｂ値を透過測色値ＤＣ１として透過測色装置１２１がホスト装置１００に送信すればよい。また、透過測色装置１２１は、ラミネート印刷物Ｌ１の非印刷部分の分光透過率を測定し、得られる分光透過率データＤ１をホスト装置１００に送信する。ラミネート印刷物Ｌ１が反射型の印刷物である場合、図４Ｂで示した反射測色装置１２２を使用して各パッチＰＡ１を測色して得られるＬａｂ値を反射測色値ＤＣ２として反射測色装置１２２がホスト装置１００に送信すればよい。また、反射測色装置１２２は、ラミネート印刷物Ｌ１の非印刷部分の分光反射率を測定し、得られる分光反射率データＤ２をホスト装置１００に送信する。
【００７４】
ホスト装置１００は、図６で示したＡ２Ｂテーブル５０１を生成するため、測色値ＤＣであるＬａｂ値（Ｌi，ａi，ｂi）をＣＭＹＫ値（Ｃi，Ｍi，Ｙi，Ｋi）に対応付けてＡ２Ｂテーブル５０１に格納する。必要に応じて、ホスト装置１００は、Ａ２Ｂテーブル５０１のＬａｂ値（Ｌi，ａi，ｂi）に対してスムージング処理を行う。このようにして、Ａ２Ｂテーブル５０１が生成され、プロファイル５００に格納される。
また、ホスト装置１００は、Ｂ２Ａテーブル５０２を生成するため、Ａ２Ｂテーブル５０１に基づいて格子点ＧＤ２毎にＣＭＹＫ値（Ｃj，Ｍj，Ｙj，Ｋj）を算出してＬａｂ値（Ｌj，ａj，ｂj）に対応付けてＢ２Ａテーブル５０２に格納する。このようにして、Ｂ２Ａテーブル５０２が生成され、プロファイル５００に格納される。
【００７５】
以上により、ラミネートプロファイル５００が作成される。併せて、ホスト装置１００は、新たに作成されたラミネートプロファイルに対応付けるプロファイル名の入力を入力装置１１５により受け付けておき、このプロファイル名に新たなプロファイルＩＤを対応付けて、プロファイルＩＤ及びプロファイル名をプロファイル５００に格納する。
むろん、プロファイル５００の作成は、上述した例に限定されない。例えば、カラーチャートに設ける複数のパッチを複数の格子点ＧＤ１よりも少なくし、対応するパッチが無い格子点ＧＤ１のＬａｂ値（Ｌi，ａi，ｂi）を補間演算により算出してもよい。
【００７６】
図１０のＳ１０２の処理後、ホスト装置１００は、Ｓ１０４において、プリンター情報に含まれるプリンターＩＤとプリンター名とを対応付けて、図７で示したプリンターテーブルＴＡ２に追加する。これにより、プリンター情報がプリンターテーブルＴＡ２に蓄積される。また、ホスト装置１００は、Ｓ１０６において、メディア情報に含まれるメディアＩＤとメディア名と性質の情報とを対応付けて、図７で示したメディアテーブルＴＡ３に追加する。これにより、メディア情報がメディアテーブルＴＡ３に蓄積される。さらに、ホスト装置１００は、Ｓ１０８において、測色装置１２０からラミネート印刷物Ｌ１の分光データＤ０を取得する。
【００７７】
分光データＤ０の取得後、ホスト装置１００は、Ｓ１１０において、ラミネート印刷物Ｌ１に含まれるラミネートフィルムＦ１の表面加工と素材を表す情報を取得する。ホスト装置１００は、例えば、図１０の中に示すような表面加工選択欄７０１と素材選択欄７０２を表示装置１３０に表示させ、これらの選択欄７０１，７０２から項目の選択を入力装置１１５により受け付ける処理を行えばよい。図１０の例では、表面加工選択欄７０１の複数の項目に「グロス」と「マット」があり、素材選択欄７０２の複数の項目に「フッ素加工ビニル」と「塩化ビニル」と「アクリル」があることが示されている。ホスト装置１００は、表面加工選択欄７０１において表面加工を表す情報の選択を受け付け、素材選択欄７０２において素材を表す情報の選択を受け付ける。
【００７８】
その後、ホスト装置１００は、Ｓ１１２において、Ｓ１０８において取得した分光データＤ０、並びに、Ｓ１１０において取得した表面加工と素材を表す情報を登録ラミネート情報ＤＬ１として図７で示したラミネートテーブルＴＡ４に追加する。ここで、ホスト装置１００は、ラミネート印刷物Ｌ１に含まれるラミネートフィルムＦ１を識別するラミネートＩＤ、及び、ラミネートフィルムＦ１の名称を表すラミネート名に対応付けて、ラミネートテーブルＴＡ４に登録ラミネート情報ＤＬ１を蓄積する。
【００７９】
登録ラミネート情報ＤＬ１の追加後、ホスト装置１００は、Ｓ１１４において、登録ラミネート情報ＤＬ１に紐付けられたラミネートプロファイルの情報をプロファイルテーブルＴＡ１に追加する。ラミネートプロファイルの情報には、Ｓ１０４においてプリンターテーブルＴＡ２に追加されたプリンターＩＤ、Ｓ１０６においてメディアテーブルＴＡ３に追加されたメディアＩＤ、及び、ラミネートテーブルＴＡ４において追加された登録ラミネート情報ＤＬ１に対応付けられたラミネートＩＤが含まれる。ホスト装置１００は、ラミネートプロファイルを識別するプロファイルＩＤ、及び、ラミネートプロファイルの名称を表すプロファイル名に対応付けて、プリンターＩＤ、メディアＩＤ、及び、ラミネートＩＤをプロファイルテーブルＴＡ１に蓄積する。その後、ホスト装置１００は、データベース登録処理を終了させる。
【００８０】
以上より、データベース部Ａ０に情報が追加されるので、ユーザーは、さらに多くのラミネートプロファイルからより適切なラミネートプロファイルを検索することができる。
【００８１】
図１１は、ホスト装置１００で行われるラミネートプロファイル検索処理を例示している。ここで、Ｓ２１２は、プリンター選択受付工程ＳＴ３、プリンター選択受付部機能ＦＵ３、及び、プリンター選択受付部Ｕ３に対応している。Ｓ２１４は、被印刷物選択受付工程ＳＴ４、被印刷物選択受付機能ＦＵ４、及び、被印刷物選択受付部Ｕ４に対応している。Ｓ２１６〜Ｓ２２２は、ラミネート情報受付工程ＳＴ５、ラミネート情報受付機能ＦＵ５、及び、ラミネート情報受付部Ｕ５に対応している。Ｓ２３０〜Ｓ２３２は、類似度算出工程ＳＴ６、類似度算出機能ＦＵ６、及び、類似度算出部Ｕ６に対応している。Ｓ２３４〜Ｓ２４４は、検索結果表示工程ＳＴ７、検索結果表示制御機能ＦＵ７、及び、検索結果表示制御部Ｕ７に対応している。
【００８２】
ラミネートプロファイル検索処理が開始されると、ホスト装置１００は、Ｓ２０２において、検索画面を表示装置１３０に表示させる処理を行う。図１２は、検索画面８００を例示している。検索画面８００は、プリンター名選択欄８１１、メディア名選択欄８１２、分光データ種類選択欄８１３、分光データ入力欄８１４、測色実行ボタン８１５、表面加工選択欄８１６、素材選択欄８１７、検索実行ボタン８１８、及び、検索結果表示欄８２０を有している。ユーザーは、選択欄８１１，８１２，８１３，８１６，８１７に対して項目を選択する操作を行うことが可能であり、分光データ入力欄８１４に対して分光データを入力する操作を行うことが可能であり、ボタン８１５，８１８を操作することが可能である。
【００８３】
ホスト装置１００は、Ｓ２１０において、各種の入力を受け付ける。Ｓ２１０の入力処理は、プリンターの種類の選択を受け付けるＳ２１２の処理、被印刷物の種類の選択を受け付けるＳ２１４の処理、分光データＤ０の種類の選択を受け付けるＳ２１６の処理、分光データＤ０の入力を受け付けるＳ２１８の処理、表面加工の種類の選択を受け付けるＳ２２０の処理、及び、素材の種類の選択を受け付けるＳ２２２の処理を含んでいる。
【００８４】
ホスト装置１００は、Ｓ２１２において、図７で示したプリンターテーブルＴＡ２に格納されているプリンター名の一覧をプリンター名選択欄８１１において表示装置１３０に表示させていずれか一つのプリンター名の選択操作を入力装置１１５により受け付ける処理を行う。
ホスト装置１００は、Ｓ２１４において、図７で示したメディアテーブルＴＡ３に格納されているメディア名の一覧をメディア名選択欄８１２において表示装置１３０に表示させていずれか一つのメディア名の選択操作を入力装置１１５により受け付ける処理を行う。
【００８５】
ホスト装置１００は、Ｓ２１６において、「分光反射率」と「分光透過率」を分光データ種類選択欄８１３において表示装置１３０に表示させていずれか一方の選択操作を入力装置１１５により受け付ける処理を行う。ここで、「分光反射率」は、分光データ入力欄８１４において入力を受け付ける分光データＤ０が分光反射率データＤ２であることを意味している。「分光透過率」は、分光データ入力欄８１４において入力を受け付ける分光データＤ０が分光透過率データＤ１であることを意味している。
【００８６】
ホスト装置１００は、Ｓ２１８において、検索対象ラミネート印刷物Ｌ２について分光データＤ０の分光データ入力欄８１４への操作入力を入力装置１１５により受け付ける処理を行う。図８に示した例では、３８０ｎｍから４９０ｎｍまで１０ｎｍ刻みの分光データの操作入力が受け付けられることになる。また、ホスト装置１００は、測色実行ボタン８１５への操作を入力装置１１５により受け付けることにより、検索対象ラミネート印刷物Ｌ２の非印刷部分の分光データＤ０を測色装置１２０から取得して分光データ入力欄８１４に表示させる処理を行ってもよい。この時、測色装置１２０は、検索対象ラミネート印刷物Ｌ２の非印刷部分の分光特性を測定し、得られる分光データＤ０をホスト装置１００に送信する。ユーザー操作を起因として分光データＤ０を測色装置１２０から取得することも、分光データＤ０の入力を受け付けることに含まれる。
【００８７】
ホスト装置１００は、Ｓ２２０において、図７で示したラミネートテーブルＴＡ４に格納されている表面加工の情報の一覧を表面加工選択欄８１６において表示装置１３０に表示させていずれか一つの表面加工の情報の選択操作を入力装置１１５により受け付ける処理を行う。図７で示した例では表面加工の情報に「グロス」と「マット」が含まれているので、これらのいずれか一方が表面加工の種類として選択される。
ホスト装置１００は、Ｓ２２２において、図７で示したラミネートテーブルＴＡ４に格納されている素材の情報の一覧を素材選択欄８１７において表示装置１３０に表示させていずれか一つの表面加工の情報の選択操作を入力装置１１５により受け付ける処理を行う。図７で示した例では素材の情報に「フッ素加工ビニル」と「塩化ビニル」と「アクリル」が含まれているので、これらのいずれか一つが素材の種類として選択される。
【００８８】
上述したように、分光データ入力欄８１４と表面加工選択欄８１６と素材選択欄８１７により、検索対象ラミネート印刷物Ｌ２について分光データＤ０を含む検索対象ラミネート情報ＤＬ２の入力が受け付けられる。
【００８９】
ホスト装置１００は、入力装置１１５による検索実行ボタン８１８への操作を受け付けると、処理をＳ２３０に進める。ホスト装置１００は、Ｓ２３０において、ラミネートテーブルＴＡ４に格納されている登録ラミネート情報ＤＬ１の内、プリンター名選択欄８１１において選択されたプリンター名と、メディア名選択欄８１２において選択されたメディア名と、の組合せに紐付けられている登録ラミネート情報を抽出する。Ｓ２３０の抽出処理は、例えば、以下のようにして行うことができる。
まず、ホスト装置１００は、プリンターテーブルＴＡ２においてプリンター名に対応付けられているプリンターＩＤと、メディアテーブルＴＡ３においてメディア名に対応付けられているメディアＩＤと、に対応付けられているラミネートＩＤを抽出する。分光データ種類選択欄８１３において「分光反射率」が選択された場合、ホスト装置１００は、抽出したラミネートＩＤに対応付けられている分光反射率データＤ２のうち前述のメディアＩＤに対応付けられている分光反射率データと、表面加工の情報と、素材の情報と、を登録ラミネート情報ＤＬ１として抽出する。分光データ種類選択欄８１３において「分光透過率」が選択された場合、ホスト装置１００は、抽出したラミネートＩＤに対応付けられている分光透過率データＤ１のうち前述のメディアＩＤに対応付けられている分光透過率データと、表面加工の情報と、素材の情報と、を登録ラミネート情報ＤＬ１として抽出する。
【００９０】
登録ラミネート情報ＤＬ１の抽出後、ホスト装置１００は、Ｓ２３２において、抽出された登録ラミネート情報ＤＬ１と、検索対象ラミネート情報ＤＬ２と、の類似度Ｓ（ｉ）を上述した計算式に従って算出する。類似度Ｓ（ｉ）の計算式は、図８を参照して説明した通りであり、表面加工の類似度を表す関数ｆＡ（ｉ）、素材の類似度を表す関数ｆＢ（ｉ）、及び、分光データＤ０の類似度を表す関数ｆＣ（ｉ）に重みＷａ，Ｗｂ，Ｗｃを付けて平均する式である。例えば、図９で示したように５種類の登録ラミネート情報ＤＬ１が抽出された場合、各登録ラミネート情報ＤＬ１と検索対象ラミネート情報ＤＬ２との類似度Ｓ（ｉ）が算出される。
【００９１】
類似度Ｓ（ｉ）の算出後、ホスト装置１００は、Ｓ２３４において、類似度Ｓ（ｉ）を算出した登録ラミネート情報ＤＬ１の内、対応する類似度Ｓ（ｉ）が閾値ＴＨ以上である登録ラミネート情報を抽出する処理を行う。類似度Ｓ（ｉ）に対する閾値ＴＨは、対応するプロファイル名を検索結果ＲＥに含めるか否かを分けるための閾値であり、０よりも大きく１よりも小さい値である。その後、ホスト装置１００は、Ｓ２３６において、対応する類似度Ｓ（ｉ）が閾値ＴＨ以上である登録ラミネート情報が抽出されたか否かに応じて処理を分岐させる。
【００９２】
対応する類似度Ｓ（ｉ）が閾値ＴＨ以上である登録ラミネート情報が抽出された場合、ホスト装置１００は、Ｓ２３８において、抽出された登録ラミネート情報に紐付けられているラミネートＩＤ、ラミネート名、及び、プロファイル名を類似度Ｓ（ｉ）とともに含む検索結果ＲＥを生成する。プロファイル名は、プロファイルテーブルＴＡ１に格納されているプロファイル名からプリンターＩＤとメディアＩＤとラミネートＩＤとの組合せに対応するプロファイル名が選択される。むろん、プリンターＩＤは、選択されたプリンター名に対応付けられているＩＤである。メディアＩＤは、選択されたメディア名に対応付けられているＩＤである。ラミネートＩＤは、前述の抽出された登録ラミネート情報に紐付けられているＩＤである。複数の登録ラミネート情報が抽出された場合、ホスト装置１００は、類似度Ｓ（ｉ）の降順に登録ラミネート情報に紐付けられているラミネートＩＤ、ラミネート名、及び、プロファイル名を含む検索結果ＲＥを生成する。図１２には、後のＳ２４４において検索結果表示欄８２０に表示される検索結果ＲＥの例が示されている。この例は、類似度Ｓ（ｉ）に対する閾値ＴＨが０．８、すなわち、百分率で８０％である場合に３種類の登録ラミネート情報が抽出された場合の検索結果ＲＥである。むろん、閾値ＴＨは、０．８に限定されず、０．８よりも大きくてもよいし、０．８よりも小さくてもよい。
【００９３】
対応する類似度Ｓ（ｉ）が閾値ＴＨ以上である登録ラミネート情報が抽出されなかった場合、ホスト装置１００は、Ｓ２４０において、図１３に例示する警告画面８５０のような警告メッセージを検索結果ＲＥとして生成する。また、ホスト装置１００は、Ｓ２４２において、閾値ＴＨ未満である複数の類似度Ｓ（ｉ）のうち最大の類似度が算出された登録ラミネート情報に紐付けられているラミネートＩＤ、ラミネート名、及び、プロファイル名を最大の類似度とともに検索結果ＲＥに含める。プロファイル名は、プロファイルテーブルＴＡ１に格納されているプロファイル名からプリンターＩＤとメディアＩＤとラミネートＩＤとの組合せに対応するプロファイル名が選択される。
尚、Ｓ２４２の処理は、類似度が基準を満たさないプロファイル名等を表示させる処理であるため、省略されてもよい。
【００９４】
Ｓ２３８又はＳ２４２の処理後、ホスト装置１００は、Ｓ２４４において、検索結果ＲＥを検索結果表示欄８２０において表示装置１３０に表示させる処理を行う。その後、ホスト装置１００は、ラミネートプロファイル検索処理を終了させる。
【００９５】
Ｓ２３８の処理が行われた場合、図１２に示す検索結果表示欄８２０において検索結果ＲＥが表示される。検索結果表示欄８２０には、対応する類似度Ｓ（ｉ）が閾値ＴＨ以上である登録ラミネート情報に紐付けられているラミネートＩＤ、ラミネート名、及び、プロファイル名が類似度Ｓ（ｉ）とともに表示される。複数の登録ラミネート情報が抽出された場合、類似度Ｓ（ｉ）の高いものから順に登録ラミネート情報に紐付けられているラミネートＩＤ、ラミネート名、及び、プロファイル名が表示される。図１２には、類似度Ｓ（ｉ）が最大である検索結果の表示領域８２１、類似度Ｓ（ｉ）が２番目に大きい検索結果の表示領域８２２、及び、類似度Ｓ（ｉ）が３番目に大きい検索結果の表示領域８２３が検索結果表示欄８２０に配置されていることが示されている。検索結果表示欄８２０を見たユーザーは、まず、最大類似度となったプロファイル名「Profile4」のラミネートプロファイルをラミネート印刷物Ｌ１に適用することを試みることができる。むろん、ユーザーは、「Profile4」のラミネートプロファイルを採用しない場合、２番目の類似度となったプロファイル名「Profile5」のラミネートプロファイルをラミネート印刷物Ｌ１に適用することを試みることができる。さらに、ユーザーは、３番目の類似度となったプロファイル名「Profile3」のラミネートプロファイルをラミネート印刷物Ｌ１に適用することを試みることができる。
【００９６】
Ｓ２４０〜Ｓ２４２の処理が行われた場合、図１３に例示するように、警告画面８５０において警告メッセージが検索結果ＲＥの一部として表示される。また、検索結果表示欄８２０において最大類似度となった登録ラミネート情報に紐付けられているラミネートＩＤ、ラミネート名、及び、プロファイル名が類似度Ｓ（ｉ）とともに検索結果ＲＥの一部として表示される。図１３には、類似度Ｓ（ｉ）が最大である検索結果の表示領域８２４が検索結果表示欄８２０に配置されていることが示されている。警告画面８５０を見たユーザーは、既存のラミネートプロファイルの適用を避けてもよいし、最大類似度となったプロファイル名のラミネートプロファイルをラミネート印刷物Ｌ１に適用することを試みてもよい。
【００９７】
以上説明したように、ラミネートプロファイルを検索するために、ラミネートテーブルＴＡ４に蓄積された登録ラミネート情報ＤＬ１と、入力が受け付けられた検索対象ラミネート情報ＤＬ２と、の類似度Ｓ（ｉ）という新規の指標値が用いられる。この類似度Ｓ（ｉ）が基準を満たす場合にデータベース部Ａ０において類似度Ｓ（ｉ）が基準を満たす登録ラミネート情報ＤＬ１に紐付けられたプロファイル名を含めた検索結果ＲＥが表示される。基準を満たす複数の類似度がある場合には、該複数の類似度のそれぞれについて基準を満たす登録ラミネート情報ＤＬ１に紐付けられたプロファイル名を類似度の順に含めた検索結果ＲＥが表示される。
以上より、ユーザーは、ラミネート印刷物Ｌ１に適用する１以上の既存のラミネートプロファイル５００を容易に得ることができる。また、ユーザーは、類似度Ｓ（ｉ）が基準を満たす登録ラミネート情報ＤＬ１が無い場合も知ることができるので、ラミネートプロファイルを新たに作成する等の対策をとることができる。
【００９８】
図１４は、基準を満たす類似度Ｓ（ｉ）が存在しなかった場合にラミネートプロファイルを新たに作成してデータベース部Ａ０に情報を追加する警告後の処理を例示している。この処理は、Ｓ２４０の警告メッセージ生成処理が行われた場合に行われる。ここで、Ｓ３０２は、プロファイル作成工程ＳＴ２、プロファイル作成機能ＦＵ２、及び、プロファイル作成部Ｕ２に対応している。
【００９９】
警告後の処理が開始されると、ホスト装置１００は、Ｓ３０２において、ラミネートプロファイルを新たに作成する処理を行う。Ｓ３０２の処理は、例えば、図１０のＳ１０２の説明において触れた作成の手順に従ってホスト装置１００がプリンター２００とラミネート処理装置３００と測色装置１２０と連携することにより行うことができる。また、ホスト装置１００は、新たに作成されたラミネートプロファイルに対応付けるプロファイル名の入力を入力装置１１５により受け付け、このプロファイル名に対応付ける新たなプロファイルＩＤを生成する。
【０１００】
ラミネートプロファイル作成後、ホスト装置１００は、Ｓ３０４において、図１０で示したデータベース登録処理を行う。図７，１０，１２を参照して説明すると、ホスト装置１００は、まず、Ｓ１０２において、プリンター名選択欄８１１において選択されたプリンター名と対応するプリンターＩＤを含むプリンター情報、及び、メディア名選択欄８１２において選択されたメディア名と対応するメディアＩＤと性質の情報を含むメディア情報を含めて、ラミネートプロファイルの情報を取得する。ラミネートプロファイルの情報には、プロファイルＩＤとプロファイル名が含まれる。
【０１０１】
その後、ホスト装置１００は、Ｓ１０４において上述のプリンター情報をプリンターテーブルＴＡ２に追加し、Ｓ１０６において上述のメディア情報をメディアテーブルＴＡ３に追加する。その後のＳ１０８〜Ｓ１１０において、ホスト装置１００は、ラミネート印刷物の分光データとラミネートフィルムの表面加工及び素材を表す情報を含む検索対象ラミネート情報ＤＬ２を取得する。Ｓ１０８〜Ｓ１１０の処理は、データベース部Ａ０に蓄積されていない登録ラミネート情報ＤＬ１を取得する処理である。図１０には表面加工選択欄７０１と素材選択欄７０２を示しているが、警告後の処理の中ではこれらの選択欄７０１，７０２の表示を省略してもよい。
【０１０２】
その後のＳ１１２において、ホスト装置１００は、Ｓ１０８〜Ｓ１１０において取得した検索対象ラミネート情報ＤＬ２を新たな登録ラミネート情報ＤＬ１としてラミネートテーブルＴＡ４に追加する。ここで、ホスト装置１００は、新たな登録ラミネート情報ＤＬ１に対応付けるラミネート名の入力を入力装置１１５により受け付け、このラミネート名に対応付ける新たなラミネートＩＤを生成する。そのうえで、ホスト装置１００は、ラミネートＩＤ、及び、ラミネート名に対応付けて、ラミネートテーブルＴＡ４に登録ラミネート情報ＤＬ１を蓄積する。
【０１０３】
その後のＳ１１４において、ホスト装置１００は、新たな登録ラミネート情報ＤＬ１に紐付けられたラミネートプロファイルの情報をプロファイルテーブルＴＡ１に追加する。ラミネートプロファイルの情報には、プリンターＩＤ、メディアＩＤ、及び、ラミネートテーブルＴＡ４において追加された登録ラミネート情報ＤＬ１に対応付けられたラミネートＩＤが含まれる。ホスト装置１００は、プロファイルＩＤ、及び、プロファイル名に対応付けて、プリンターＩＤ、メディアＩＤ、及び、ラミネートＩＤをプロファイルテーブルＴＡ１に蓄積する。その後、ホスト装置１００は、データベース登録処理を終了させ、図１４に示す警告後の処理を終了させる。
【０１０４】
以上より、基準を満たす類似度Ｓ（ｉ）が存在しなかった場合に情報がデータベース部Ａ０に追加される。従って、ユーザーは、より適切なラミネートプロファイルを使用することができる。
【０１０５】
（８）変形例：
本発明は、種々の変形例が考えられる。
例えば、プリンターは、インクジェットプリンターに限定されず、色材としてトナーを使用するレーザープリンターといった電子写真方式のプリンター、等でもよい。
画像を形成する色材の種類は、Ｃ，Ｍ，Ｙ，Ｋに限定されず、Ｃ，Ｍ，Ｙ，Ｋに加えて、Ｌｃ、Ｌｍ、ＤＹ、Ｏｒすなわちオレンジ、Ｇｒすなわちグリーン、Ｌｋ、画質向上用の無着色の色材、等を含んでもよい。
【０１０６】
上述した実施形態では分光データに分光反射率データと分光透過率データの両方が含まれていたが、分光データに分光反射率データしか含まれない場合や分光透過率データしか含まれない場合も、実施可能であり、本技術に含まれる。
また、登録ラミネート情報や検索対象ラミネート情報に含まれる分光データは、ラミネート印刷物の被印刷物の分光特性を測定したデータが好ましいものの、条件が統一されていればラミネート印刷物の印刷部分の分光特性を測定したデータでもよい。
【０１０７】
上述した処理は、順番を入れ替えたり、一部を省略したり、別の処理を付加したりする等、適宜、変更可能である。上述したように、図１１のラミネートプロファイル検索処理において、Ｓ２４２の処理を省略可能である。また、例えば、図１０の処理において、Ｓ１０４の処理とＳ１０６の処理とを入れ替えることが可能である。
上述した実施形態では類似度Ｓ（ｉ）が閾値ＴＨ以上である場合が基準を満たす場合であったが、これに限定されず、類似度Ｓ（ｉ）が閾値ＴＨよりも大きい場合が基準を満たす場合でもよい。
【０１０８】
ラミネート情報の類似度Ｓ（ｉ）を計算するための重みＷａ，Ｗｂ，Ｗｃは、上述した例に限定されず、適宜変更可能である。また、類似度Ｓ（ｉ）の計算式も、上述した計算式（２）限定されない。例えば、類似度Ｓ（ｉ）の計算式は、関数値Ｗａ×ｆＡ（ｉ）を使用しない重み付け平均値｛Ｗｂ×ｆＢ（ｉ）＋Ｗｃ×ｆＣ（ｉ）｝／（Ｗｂ＋Ｗｃ）、関数値Ｗｂ×ｆＢ（ｉ）を使用しない重み付け平均値｛Ｗａ×ｆＡ（ｉ）＋Ｗｃ×ｆＣ（ｉ）｝／（Ｗａ＋Ｗｃ）、等でもよい。さらに、類似度Ｓ（ｉ）の計算式は、分光データの類似度を表す関数ｆＣ（ｉ）そのものでもよい。
【０１０９】
（９）結び：
以上説明したように、本発明によると、種々の態様により、ラミネートプロファイルが迅速に得られる技術等を提供することができる。むろん、独立請求項に係る構成要件のみからなる技術でも、上述した基本的な作用、効果が得られる。
また、上述した例の中で開示した各構成を相互に置換したり組み合わせを変更したりした構成、公知技術及び上述した例の中で開示した各構成を相互に置換したり組み合わせを変更したりした構成、等も実施可能である。本発明は、これらの構成等も含まれる。
【符号の説明】
【０１１０】
１００…ホスト装置、１１４…記憶装置、１１５…入力装置、１２０…測色装置、１２１…透過測色装置、１２２…反射測色装置、１３０…表示装置、２００…プリンター、３００…ラミネート処理装置、５００…プロファイル、７０１…表面加工選択欄、７０２…素材選択欄、８００…検索画面、８１１…プリンター名選択欄、８１２…メディア名選択欄、８１３…分光データ種類選択欄、８１４…分光データ入力欄、８１５…測色実行ボタン、８１６…表面加工選択欄、８１７…素材選択欄、８１８…検索実行ボタン、８２０…検索結果表示欄、８２１〜８２４…表示領域、８５０…警告画面、Ａ０…データベース部、Ｄ０…分光データ、Ｄ１…分光透過率データ、Ｄ２…分光反射率データ、Ｄ３…プロファイル情報、ＤＣ…測色値、ＤＬ１…登録ラミネート情報、ＤＬ２…検索対象ラミネート情報、Ｆ１…ラミネートフィルム、Ｌ１…ラミネート印刷物、Ｌ２…検索対象ラミネート印刷物、ＰＲ０…プロファイル検索プログラム、ＰＴ１…印刷物、ＲＥ…検索結果、ＳＹ１…印刷システム、ＴＡ１…プロファイルテーブル、ＴＡ２…プリンターテーブル、ＴＡ３…メディアテーブル、ＴＡ４…ラミネートテーブル、Ｕ１…情報追加部、Ｕ２…プロファイル作成部、Ｕ３…プリンター選択受付部、Ｕ４…被印刷物選択受付部、Ｕ５…ラミネート情報受付部、Ｕ６…類似度算出部、Ｕ７…検索結果表示制御部。
【図１】
2020064475.tif 000005
【図２】
2020064475.tif 000006
【図３】
2020064475.tif 000007
【図４】
2020064475.tif 000008
【図５】
2020064475.tif 000009
【図６】
2020064475.tif 000010
【図７】
2020064475.tif 000011
【図８】
2020064475.tif 000012
【図９】
2020064475.tif 000013
【図１０】
2020064475.tif 000014
【図１１】
2020064475.tif 000015
【図１２】
2020064475.tif 000016
【図１３】
2020064475.tif 000017
【図１４】
2020064475.tif 000018